【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
格納及び／又は輸送用の平面梱包構成から、使用するための箱状構成に変形可能な組合せ便器及び座部装置であって、
各側面パネルに接続された前面及び背面パネルと、
前記前面又は背面パネルのいずれかに接続された底部パネルと、を備え、
前記側面パネルが、内向きに傾斜した側面パネルを構成可能で、それによって前面及び／又は背面パネルのいずれかに接続された上部パネルを支持し、前記上部パネルが台座を構成し、
前記上部パネル及び／又は底部パネルが、一つ以上の連結部を備え、前記上部パネル及び／又は底部パネルを、一方又は両方の側面パネルと連結することで、箱状構成を維持する組合せ便器及び座部装置。
【請求項２】
各側面パネルが、対応する連結部を備えている、請求項１に記載の装置。
【請求項３】
前記上部パネル、又は前記底部パネルが、二つの連結部を備えている、請求項１又は２に記載の装置。
【請求項４】
第一及び第二組の連結部が、前記底部パネルと前記各側面パネルの間に設けられている、請求項１〜３のいずれかに記載の装置。
【請求項５】
対応する連結部が、タブ及びスロット構成、又は単一のスロット又は二重スロット構成を備えている、請求項１〜４のいずれかに記載の装置。
【請求項６】
前記底部パネルが、前記各側面パネルと接触する突出部を備える、請求項１〜５のいずれかに記載の装置。
【請求項７】
前記突出部が、側面パネルと連結するスロットの形態の連結部を備える、請求項６に記載の装置。
【請求項８】
前記突出部が、前記各側面パネルと連結する二つのスロットを備える、請求項７に記載の装置。
【請求項９】
前記底部パネルが、前記側面パネルの中央領域に、前記連結部を配置するように構成された部分的長さのパネルである、前記請求項のいずれかに記載の装置。
【請求項１０】
底部パネルが、内向きに傾斜した側面パネルの各頂点に、前記連結部を配置するように構成された部分的長さのパネルである、請求項１〜９のいずれかに記載の装置。
【請求項１１】
一方又は両方の側面パネルが、スロット形態の連結部を備えている、請求項１〜１０のいずれかに記載の装置。
【請求項１２】
前記上部パネルと、対向する前面又は背面パネルが、対応する連結部を備え、前記連結部が、それらの間に連結を提供可能であり、前記前面及び背面パネルの分離を維持する、請求項１〜１１のいずれかに記載の装置。
【請求項１３】
前記前面、又は前記背面パネル上の前記連結部が、前記前面又は背面パネル、及び第二上部パネルの接合部に設けられている、請求項１２に記載の装置。
【請求項１４】
前記上部パネル上の連結部が、前記上部パネルから、前記対向する前面又は背面パネルに向かって延びる一つ以上のタブである、請求項１２又は１３に記載の装置。
【請求項１５】
前記対向する前面又は背面パネル上の前記連結部が、各タブを受け取る一つ以上のスロットである、請求項１２〜１４のいずれかに記載の装置。
【請求項１６】
前記第一上部パネルが、前記背面パネルに接続されている、請求項１〜１５のいずれかに記載の装置。
【請求項１７】
前記底部パネルが、前記背面パネルに接続されている、請求項１〜１６のいずれかに記載の装置。
【請求項１８】
前記第二上部パネルが、前記前面パネルに接続され、二層台座を提供する、請求項１３〜１７のいずれか一つに記載の装置。
【請求項１９】
前記第二上部パネルが、第三上部パネルを供え、前記第三上部パネルが折り畳み可能であり、三層台座を提供する、請求項１８に記載の装置。
【請求項２０】
前記第一上部パネルが、装置内部へ通じる孔を備え、前記孔が便器としての使用に適している、請求項１〜１９のいずれかに記載の装置。
【請求項２１】
前記第二上部パネルが、装置内部へ通じる孔を備える、請求項１３〜２０のいずれかに記載の装置。
【請求項２２】
前記孔が、前記前面パネルに対向する前記孔の端部に配置され、特に、男性の体構造にとっての使用を容易にするために設けられる、追加の切り欠き可能な部分を備える、請求項２０又は２１に記載の装置。
【請求項２３】
前記第三上部パネルが、前記第二上部パネルの孔を実質的に覆うように配置されている、請求項１９〜２２のいずれかに記載の装置。
【請求項２４】
前記第三上部パネルが、前記第一及び第二上部パネルを実質的に覆うように配置されている、請求項２３に記載の装置。
【請求項２５】
前記第一及び／又は第二上部パネルが、組合せ便器及び座部の内側で使用するための、流体密封容器、又は流体／固体貯蔵器の一部を支え、固定する、一つ以上のスリットを備える、請求項１〜２４のいずれかに記載の装置。
【請求項２６】
前記容器／貯蔵器が、受け皿またはプラスチック袋である、請求項２５に記載の装置。
【請求項２７】
前記第一及び／又は第二上部パネルの二つの対向する側に、プラスチック袋の取っ手を支える、二つのスロットが設けられる、請求項２５又は２６に記載の装置。
【請求項２８】
前記組合せ便器及び座部が、段ボール又は板紙等、又はプラスチック材料から製造される、請求項１〜２７のいずれかに記載の装置。
【請求項２９】
前記段ボールに刻み目を設けて、その折り畳みを補助する、請求項２８に記載の装置。
【請求項３０】
前記段ボールにミシン目を設けて、その折り畳みを補助する、請求項２８又は２９に記載の装置。
【請求項３１】
前記前面及び／又は背面パネルと、各側面パネルの間に、平面梱包折り畳みを可能にする二重ヒンジを提供する、適切に間隙を介した二組の刻み目、又はミシン目が設けられる、請求項２８〜３０のいずれかに記載の装置。
【請求項３２】
二つの段ボール、板紙等から構成されている、請求項２８〜３１のいずれかに記載の装置。
【請求項３３】
輸送又は格納用の平面梱包構成に折り畳み可能なように構成されている、請求項１〜３２のいずれかに記載の装置。
【請求項３４】
方形の平面構成に折り畳み可能である、請求項３３に記載の装置。
【請求項３５】
構成材料が、生分解可能である、請求項１〜３４のいずれかに記載の装置。
【請求項３６】
組合せ便器及び座部装置を構成するための一つ以上の抜き板であって、
前記装置の前面パネル、第一側面パネル、背面パネル、及び第二側面パネルを構成するための第一、第二、第三、及び第四連続パネルと、それらの間の接続手段と、
前記装置の台座と底部を各々構成するための第五及び第六パネルと、を備え、
前記第五パネルが、第一又は第三パネルの一方から延び、前記第六パネルが、第一又は第三パネルの一方の反対側の端部から延び、
前記第五又は第六パネル、及び第二及び／又は第四パネルが、対応する連結部を備え、それらの間に少なくとも一つの連結を構成する、一つ以上の抜き板。
【請求項３７】
組み合わされて、単一の抜き板を構成する二つの抜き板を備えている、請求項３６に記載の一つ以上の抜き板。
【請求項３８】
前記対応する連結部が、一つ以上のスロットを備えている、請求項３６又は３７に記載の一つ以上の抜き板。
【請求項３９】
請求項１〜３５のいずれか一つに記載の組合せ便器及び座部装置を構成するための抜き板。
【請求項４０】
箱状構成を有する組立てられた組合せ便器及び座部装置であって、
内向きに傾斜した側面パネルによって接続され、間隙を介している前面及び背面パネルと、
前記前面及び／又は背面パネルの一方に接続され、内向きに傾斜した側面パネルによって支持され、台座を構成する上部パネルと、
前記前面又は背面パネルの一方に接続されている底部パネルと、を備え、
少なくとも一つの前記内向きに傾斜した側面パネルと、前記上部パネル又は底部パネルの間の対応する連結部によって、連結を提供し、箱状構成を維持する組合せ便器及び座部装置。
【請求項４１】
請求項１〜３５のいずれかに記載の組合せ便器及び座部装置、又は請求項３６〜３９のいずれかに記載の一つ以上の抜き板から組み立てられる、請求項４０に記載の組立て装置。